(57)【要約】本発明は、ネジ頭(２)と、ネジシャフト(３)と、ネジシャフト上にて一つまたは複数のネジ筋をなすネジ山(４)とからなる骨用のネジに関する。ネジシャフト(３)の自由端(５)から出発してネジ頭(２)の側へと、滑らかなエッジ稜線(７)を有する複数段の第１のネジ筋(６)が延びる。第１のネジ筋(６)に続いて、エッジ稜線(７)中にエッジ取り部(９)を有する複数段の第２のネジ筋(８)がネジ頭(２)の側へと連なる。また、第２のネジ筋(８)のエッジ取り部(９)は、いずれも、周方向の弧の長さが、自由端(５)から見て先に来るものよりも大きくなっている。
2007509660.tif 000002
【特許請求の範囲】
【請求項１】
ネジ頭(２)と、ネジシャフト(３)と、ネジシャフト上にて一つまたは複数のネジ筋をなすネジ山(４)とからなる海綿骨用のネジまたはその他の骨用のネジにおいて、
ネジシャフト(３)の自由端(５)から出発してネジ頭(２)の側へと、滑らかなエッジ稜線(７)を有する複数段の第１のネジ筋(６)が延び、
第１のネジ筋(６)に続いて、エッジ稜線(７)中にエッジ取り部(９)を有する複数段の第２のネジ筋(８)がネジ頭(２)の側へと連なり、
第２のネジ筋(８)のエッジ取り部(９)は、いずれも、周方向の弧の長さが、自由端(５)から見て先に来るものよりも大きくなっていることを特徴とする骨用のネジ。
【請求項２】
第２のネジ筋(８)に続いて、一定の大きさのエッジ取り部(９)を有する第３のネジ筋(１０)が配置されたことを特徴とする請求項１に記載の骨用のネジ。
【請求項３】
各段の第２のネジ筋(８)及び各段の第３のネジ筋(１０)には、３６０度の弧あたりに複数のエッジ取り部が形成されたことを特徴とする請求項１または２に記載の骨用のネジ。
【請求項４】
３６０度の弧あたりに３個のエッジ取り部が形成されたことを特徴とする請求項３に記載の骨用のネジ。
【請求項５】
エッジ取り部(９)は、第２のネジ筋(８)及び第３のネジ筋(１０)のエッジ稜線(７)から、弦を描くようにしてネジシャフト(３)の側へと延びてから、一つのアーチ状曲線を描きつつエッジ稜線(７)へと戻ってつながっていることを特徴とする請求項１〜４のいずれかに記載の骨用のネジ。
【請求項６】
出発して
ネジシャフト(３)が円柱形または円筒形であることを特徴とする請求項１〜５のいずれかに記載の骨用のネジ。
【請求項７】
ネジシャフト(３)がテーパー状であることを特徴とする請求項１〜５のいずれかに記載の骨用のネジ。
【請求項８】
第１のネジ筋(６)が３段のネジ筋を含むことを特徴とする請求項１〜７のいずれかに記載の骨用のネジ。
【請求項９】
第２のネジ筋(８)が３段のネジ筋を含むことを特徴とする請求項１〜８のいずれかに記載の骨用のネジ。
【請求項１０】
第２のネジ筋(８)のエッジ稜線(７)の長さが一定であることを特徴とする請求項７〜９のいずれかに記載の骨用のネジ。
【発明の詳細な説明】
【技術分野】
【０００１】
本発明は、ネジ頭と、ネジシャフトと、ネジシャフト上にて一つまたは複数のネジ筋をなすネジ山とからなる骨ネジ（骨にねじ込まれるネジ）に関する。特には、海綿骨ネジ（海綿骨にねじ込まれるネジ）に関する。
【背景技術】
【０００２】
骨ネジは、実際の使用により知られており、医療に使用されている。骨ネジは、骨折後に骨を再結合させるために、骨プレートを取り付けるのに用いられいている。また、海綿骨ネジの場合には、骨プレートの代わりに、埋め込み部材を、椎体に取り付けるのに用いられている。このような骨ネジは、多くの場合、患者の体の中に長期にわたって残留するので、長期間の間、荷重の下で緩んだり外れてしまうことなしに、意図したところの機能を果たさなければならない。
【特許文献１】米国特許出願公開US2002-055783 A
【特許文献２】米国特許US 6679701 B
【特許文献３】米国特許US 5334204 A
【特許文献４】国際出願公開WO93/06786
【発明の開示】
【発明が解決しようとする課題】
【０００３】
本発明の根底をなす課題は、導入部で述べたような骨ネジについて、ねじ込んだ後には、不所望の位置・姿勢の変化を引き起こすことがなく、特には緩んだり外れることのないように構成することにある。
【課題を解決するための手段】
【０００４】
このような本発明の課題は、導入部で述べたような骨ネジについて以下のように構成することにより解決される。ネジシャフトの自由端から、滑らかなエッジ稜線を備える複数段の第１のネジ筋が、ネジ頭の方へと連なって延びる。ネジ頭の方へと向けられた複数段の第２のネジ筋が、第１のネジ筋に続けて設けられており、そのエッジ稜線中にエッジ取り部を備える。また、第２のネジ筋のエッジ取り部は、いずれも、周方向の湾曲長が、自由端から見て一つ先のエッジ取り部に比べて大きくなっている。
【発明の効果】
【０００５】
このような骨ネジであると、骨にねじ込む際、第１のネジ筋が、短い長さの案内がなされた後には骨中への骨ネジの良好な保持を確実に実現する。また、このとき、第１のネジ筋の滑らかなエッジ稜線によって、スムーズな切り込みが確実に実現できる。スムーズな切り込みは、後から続く第２のネジ筋のエッジ稜線によって続けることができる。第２のネジ筋のエッジ取り部は、戻り防止フックのような具合に、ネジシャフトを骨中に強固に係止させ、次のことが確実に実現されるようにする。骨ネジのねじ込みの後、骨組織、すなわち骨の構成材がエッジ取り部の範囲内でエッジの通り道に食い込むことが可能となる。すなわち、エッジの通り道の閉塞が、ネジエッジの切り込み経路中でのネジ山の逆回転によって骨ネジが緩んで行くのを防止する作用を行うのである。
【発明を実施するための最良の形態】
【０００６】
本発明の枠内において、第２のネジ筋に引き続いて、エッジ取り部の大きさが均一である複数段の第３のネジ筋が連なって配置されているならば好ましいことが知られた。このようであると、次のような利点が得られる。第２のネジ筋のエッジ取り部を増大させて行くことを続けることにより、ネジ頭の近傍でのエッジ稜線を短くし、その機能を危うくするということなしに、第３のネジ筋の数を変えることで、簡単な方式により骨ネジの長さを変えることができる。
【０００７】
いずれの第２のネジ筋にも、また、いずれの第３のネジ筋にも、３６０度の角度内に複数のエッジ取り部を設けるならば好ましいことが知られた。特に好ましくは、３６０度の円弧状曲線すなわち１周分の螺旋曲線内に３個のエッジ取り部が設けられる。このようにして、骨ネジの強固な固定が実現できる。また、エッジ取り部をネジシャフトに周方向に均等に分布するように配置するならば、ねじ込みの際に、骨ネジの回転動作を均等にすることができる。
【０００８】
骨中における骨ネジの特に強固な固定が、次のような場合に得られる。エッジ取り部が、第２のネジ筋及び第３のネジ筋のエッジ稜線より出発して、ネジ筋の円弧状曲線に対する弦を描くようにしてネジシャフトの側へと向かって延びる。それから、一つのアーチ状曲線を描きつつエッジ稜線へと戻ってつながっている。
【０００９】
本発明の枠内において、ネジシャフトが円柱形または円筒形に形成されていても良い。このようであると、ねじ込み導路を作り出す第１のネジ筋の利用が特に重要な意味を持ち、該ねじ込み導路を通じて、骨の表面から、第２のネジ筋及び第３のネジ筋をねじ込んで行くことができる。ネジシャフトは、円錐状その他のテーパー状に形成されていても良く、このようであると、第２のネジ筋及び第３のネジ筋は、これら自身が、骨の構成材料に切り込んで、強固な固定を確実に実現することができる。第１のネジ筋が目的とする機能を果たすためには、第１のネジ筋が、側方から見て３段のネジ筋を含んでいれば足りる。第２のネジ筋も、側方から見て３段のネジ筋を含んでいれば足りる。
【００１０】
テーパー状に形成されたネジシャフトでもってねじ込みを行う際には、次のような形態が提案される。各段の第２のネジ筋におけるエッジ稜線の長さが均等であり、したがって、ネジ筋がネジ頭に近づくのに伴う周方向の長さの拡大が、エッジ取り部に割り当てられる。すなわち、テーパー状のシャフトであるために、ネジ頭に近づいた分だけ段ごとのネジ筋の長さが大きくなるが、このような長さの増加分だけ、エッジ取り分の周方向の長さが大きくなる。このようであると、ねじ込みを行う際、長さが大きくなっていくエッジ取り部が作用することになるにも拘わらず、充分な長さのエッジ稜線による案内が行われる。
【００１１】
以下に、図面に描かれた本発明の実施例について詳細に説明する。
【００１２】
図面には、骨ネジ１が描かれている。この骨ネジ１は、ネジ頭２と、ネジシャフト３と、該ネジシャフト上に複数段のネジ筋をなすねじ山４とからなる。ネジシャフト３の自由端５すなわち先端から出発して、複数段のネジ筋がまとまって、滑らかなエッジ稜線７をなす第１のネジ筋６となっている。第１のネジ筋６から連続して、エッジ稜線７にエッジ取り部９が設けられた複数段の第２のネジ筋８が、ネジ頭２の側へと、連なって形成されている。ここで、エッジ取り部９は、３６０度の弧（円弧状ないし螺旋状の曲線）あたり、３個が周方向に均等に分布するように配置されている。特に図３から知られるように、第２のネジ筋８のエッジ取り部９は、いずれも、周方向の弧の長さ、すなわち、軸方向から見て円弧を想定した場合の長さが、一つ前の段のエッジ取り部９に比べて大きくなっている。したがって、第２のネジ筋８におけるエッジ稜線７の周方向の弧の長さは、エッジ取り部９の長さを大きくするために、短くなっている。図３からさらに知られるように、第２のネジ筋８に続けて、エッジ取り部９が一定不変となっている複数段の第３のネジ筋１０が連なっている。部分拡大図ある図２、及び図５から知られるように、各エッジ取り部９は、弓糸状に延びている。すなわち、各エッジ取り部９は、第２のネジ筋８及び第３のネジ筋１０のエッジ稜線７から、弦を描くようにしてネジシャフト３の側へと延びてから、一つのアーチ状の曲線を描いてエッジ稜線７へと戻ってつながっており、これにより、ネジ止め回転の逆方向を向くカギツメ（鉤爪）１１を形成している。カギツメ（鉤爪）１１は、骨ネジ１の戻り回転を防止する耐力を与える。
【００１３】
図示の実施例では円柱形のネジシャフト３が備えられる。ところが、ネジシャフト３はテーパー状であっても良く、その場合、第２のネジ筋８のエッジ稜線７の長さを一定にすることが提案される。。
【図面の簡単な説明】
【００１４】
【図１】骨ネジの斜視図である。
【図２】図１のII部分の拡大図である。
【図３】図１骨ネジについて別の角度から見た場合の斜視図である。
【図４】図１骨ネジについて、さらに別の角度から見た場合の斜視図である。
【図５】図１のV-V線に沿った断面図である。
【図１】
2007509660.tif 000003
【図２】
2007509660.tif 000004
【図３】
2007509660.tif 000005
【図４】
2007509660.tif 000006
【図５】
2007509660.tif 000007
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
ネジ頭(２)と、ネジシャフト(３)と、ネジシャフト上にて一つまたは複数のネジ筋をなすネジ山(４)とからなる海綿骨用のネジまたはその他の骨用のネジであって、
ネジシャフト(３)の自由端(５)から出発してネジ頭(２)の側へと、滑らかなエッジ稜線(７)を有する複数段の第１のネジ筋(６)が延び、
第１のネジ筋(６)に続いて、エッジ稜線(７)中にエッジ取り部(９)を有する複数段の第２のネジ筋(８)がネジ頭(２)の側へと連なり、
第２のネジ筋(８)のエッジ取り部(９)は、いずれも、周方向の弧の長さが、自由端(５)から見て先に来るものよりも大きくなっている骨用のネジにおいて、
エッジ取り部(９)は、第２のネジ筋(８)及び第３のネジ筋(１０)のエッジ稜線(７)から、弦を描くようにしてネジシャフト(３)の側へと延びてから、一つのアーチ状曲線を描きつつエッジ稜線(７)へと戻ってつながっており、このようにして、ネジ止め回転の逆方向を向くカギツメ(１１)を形成し、このカギツメ(１１)が骨用のネジの戻り回転を防止する作用を行うことを特徴とする骨用のネジ。
【請求項２】
第２のネジ筋(８)に続いて、一定の大きさのエッジ取り部(９)を有する第３のネジ筋(１０)が配置されたことを特徴とする請求項１に記載の骨用のネジ。
【請求項３】
各段の第２のネジ筋(８)及び各段の第３のネジ筋(１０)には、３６０度の弧あたりに複数のエッジ取り部が形成されたことを特徴とする請求項１または２に記載の骨用のネジ。
【請求項４】
３６０度の弧あたりに３個のエッジ取り部が形成されたことを特徴とする請求項３に記載の骨用のネジ。
【請求項５】
ネジシャフト(３)が円柱形または円筒形であることを特徴とする請求項１〜４のいずれかに記載の骨用のネジ。
【請求項６】
ネジシャフト(３)がテーパー状であることを特徴とする請求項１〜４のいずれかに記載の骨用のネジ。
【請求項７】
第１のネジ筋(６)が３段のネジ筋を含むことを特徴とする請求項１〜６のいずれかに記載の骨用のネジ。
【請求項８】
第２のネジ筋(８)が３段のネジ筋を含むことを特徴とする請求項１〜７のいずれかに記載の骨用のネジ。
【請求項９】
ネジシャフト(３)がテーパー状である場合に、第２のネジ筋(８)のエッジ稜線(７)の長さが一定であることを特徴とする請求項６〜８のいずれかに記載の骨用のネジ。
【手続補正２】
【補正対象書類名】明細書
【補正対象項目名】全文
【補正方法】変更
【補正の内容】
【発明の詳細な説明】
【技術分野】
【０００１】
本発明は、ネジ頭と、ネジシャフトと、ネジシャフト上にて一つまたは複数のネジ筋をなすネジ山とからなる骨ネジ（骨用のネジ）に関する。特には、海綿骨ネジに関する。
【背景技術】
【０００２】
ネジシャフトの自由端から、滑らかなエッジ稜線を備える複数段の第１のネジ筋が、ネジ頭の方へと連なって延びる。ネジ頭の方へと向けられた複数段の第２のネジ筋が、第１のネジ筋に続けて設けられており、そのエッジ稜線中にエッジ取り部を備える。また、第２のネジ筋のエッジ取り部は、いずれも、周方向の湾曲長が、自由端から見て一つ先のエッジ取り部に比べて大きくなっている。
骨ネジは、実際の使用により知られており、医療目的で使用されている。骨折後に骨を再結合させるために、骨プレートが取り付けられる。海綿骨ネジの場合には、骨プレートの代わりに、埋め込み部材が、椎体に取り付けられる。このような骨ネジは、多くの場合、患者の体の中に長期にわたって残留するので、長期間の間、荷重の下で緩んだり外れてしまうことなしに、目的とする機能を果たさなければならない。
【０００３】
米国特許出願公開US2002-0055783は、導入部で述べたような骨ネジを示している。この骨ネジは、関節を治療し再生させるにあたって差し込まれる。
【特許文献１】米国特許出願公開US2002-0055783
【特許文献２】米国特許US 6679701 B
【特許文献３】米国特許US 5334204 A
【特許文献４】国際出願公開WO93/06786
【発明の開示】
【発明が解決しようとする課題】
【０００４】
本発明の根底をなす課題は、導入部で述べたような骨ネジについて、ねじ込んだ後には、不所望の位置・姿勢の変化を引きこすことがなく、特には緩んだり外れることのないように構成することにある。
【課題を解決するための手段】
【０００５】
このような本発明の課題は、導入部で述べたような骨ネジについて以下のように構成することにより解決される。エッジ取り部は、第２のネジ筋及び第３のネジ筋のエッジ稜線から、弦を描くようにしてネジシャフトの側へと延びてから、一つのアーチ状曲線を描きつつエッジ稜線へと戻ってつながっている。このようにして、ネジ止め回転の逆方向を向くカギツメを形成し、このカギツメが骨用のネジの戻り回転を防止する作用を行う。
【発明の効果】
【０００６】
このような骨ネジであると、骨にねじ込む際、第１のネジ筋が、短い長さの案内がなされた後には骨中への骨ネジの良好な保持を確実に実現する。また、このとき、第１のネジ筋の滑らかなエッジ稜線によって、スムーズな切り込みが確実に実現できる。スムーズな切り込みは、後から続く第２のネジ筋のエッジ稜線によって続けることができる。第２のネジ筋のエッジ取り部は、戻り防止フックのような具合に、ネジシャフトを骨中に強固に係止させ、次のことが確実に実現されるようにする。骨ネジのねじ込みの後、骨組織、すなわち骨の構成材がエッジ取り部の範囲内でエッジの通り道に食い込むことが可能となる。すなわち、エッジの通り道の閉塞が、ネジエッジの切り込み経路中でのネジ山の逆回転によって骨ネジが緩んで行くのを防止する作用を行うのである。
【発明を実施するための最良の形態】
【０００７】
本発明の枠内において、第２のネジ筋に引き続いて、エッジ取り部の大きさが均一である複数段の第３のネジ筋が連なって配置されているならば好ましいことが知られた。このようであると、次のような利点が得られる。第２のネジ筋のエッジ取り部を増大させて行くことを続けることにより、ネジ頭の近傍でのエッジ稜線を短くし、その機能を危うくするということなしに、第３のネジ筋の数を変えることで、簡単な方式により骨ネジの長さを変えることができる。
【０００８】
いずれの第２のネジ筋にも、また、いずれの第３のネジ筋にも、３６０度の角度内に複数のエッジ取り部を設けるならば好ましいことが知られた。特に好ましくは、３６０度の円弧状曲線すなわち１周分の螺旋曲線内に３個のエッジ取り部が設けられる。このようにして、骨ネジの強固な固定が実現できる。また、エッジ取り部をネジシャフトに周方向に均等に分布するように配置するならば、ねじ込みの際に、骨ネジの回転動作を均等にすることができる。
【０００９】
骨中における骨ネジの特に強固な固定が、次のような場合に得られる。エッジ取り部が、第２のネジ筋及び第３のネジ筋のエッジ稜線より出発して、ネジ筋の円弧状曲線に対する弦を描くようにしてネジシャフトの側へと向かって延びる。それから、一つのアーチ状曲線を描きつつエッジ稜線へと戻ってつながっている。
【００１０】
本発明の枠内において、ネジシャフトが円柱形または円筒形に形成されていても良い。このようであると、ねじ込み導路を作り出す第１のネジ筋の利用が特に重要な意味を持ち、該ねじ込み導路を通じて、骨の表面から、第２のネジ筋及び第３のネジ筋をねじ込んで行くことができる。ネジシャフトは、円錐状その他のテーパー状に形成されていても良く、このようであると、第２のネジ筋及び第３のネジ筋は、これら自身が、骨の構成材料に切り込んで、強固な固定を確実に実現することができる。第１のネジ筋が目的とする機能を果たすためには、第１のネジ筋が、側方から見て３段のネジ筋を含んでいれば足りる。第２のネジ筋も、側方から見て３段のネジ筋を含んでいれば足りる。
【００１１】
テーパー状に形成されたネジシャフトでもってねじ込みを行う際には、次のような形態が提案される。各段の第２のネジ筋におけるエッジ稜線の長さが均等であり、したがって、ネジ筋がネジ頭に近づくのに伴う周方向の長さの拡大が、エッジ取り部に割り当てられる。すなわち、テーパー状のシャフトであるために、ネジ頭に近づいた分だけ段ごとのネジ筋の長さが大きくなるが、このような長さの増加分だけ、エッジ取り分の周方向の長さが大きくなる。このようであると、ねじ込みを行う際、長さが大きくなっていくエッジ取り部が作用することになるにも拘わらず、充分な長さのエッジ稜線による案内が行われる。
【００１２】
以下に、図面に描かれた本発明の実施例について詳細に説明する。
【００１３】
図面には、骨ネジ１が描かれている。この骨ネジ１は、ネジ頭２と、ネジシャフト３と、該ネジシャフト上に複数段のネジ筋をなすねじ山４とからなる。ネジシャフト３の自由端５すなわち先端から出発して、複数段のネジ筋がまとまって、滑らかなエッジ稜線７をなす第１のネジ筋６となっている。第１のネジ筋６から連続して、エッジ稜線７にエッジ取り部９が設けられた複数段の第２のネジ筋８が、ネジ頭２の側へと、連なって形成されている。ここで、エッジ取り部９は、３６０度の弧（円弧状ないし螺旋状の曲線）あたり、３個が周方向に均等に分布するように配置されている。特に図３から知られるように、第２のネジ筋８のエッジ取り部９は、いずれも、周方向の弧の長さ、すなわち、軸方向から見て円弧を想定した場合の長さが、一つ前の段のエッジ取り部９に比べて大きくなっている。したがって、第２のネジ筋８におけるエッジ稜線７の周方向の弧の長さは、エッジ取り部９の長さを大きくするために、短くなっている。図３からさらに知られるように、第２のネジ筋８に続けて、エッジ取り部９が一定不変となっている複数段の第３のネジ筋１０が連なっている。部分拡大図ある図２、及び図５から知られるように、各エッジ取り部９は、第２のネジ筋８及び第３のネジ筋１０のエッジ稜線７から、弦を描くようにしてネジシャフト３の側へと延びてから、一つのアーチ状の曲線を描いてエッジ稜線７へと戻ってつながっており、これにより、ネジ止め回転の逆方向を向くカギツメ（鉤爪）１１を形成している。カギツメ（鉤爪）１１は、骨ネジ１の戻り回転を防止する耐力を与える。
【００１４】
図示の実施例では円柱形のネジシャフト３が備えられる。ところが、ネジシャフト３はテーパー状であっても良く、その場合、第２のネジ筋８のエッジ稜線７の長さを一定にすることが提案される。
【図面の簡単な説明】
【００１５】
【図１】骨ネジの斜視図である。
【図２】図１のII部分の拡大図である。
【図３】図１骨ネジについて別の角度から見た場合の斜視図である。
【図４】図１骨ネジについて、さらに別の角度から見た場合の斜視図である。
【図５】図１のV-V線に沿った断面図である。
【国際調査報告】
2007509660.tif 000008
2007509660.tif 000009
2007509660.tif 000010
2007509660.tif 000011